(57)【要約】【課題】  本発明は、シールド効果を向上し、アース板７の移動阻止を確実とする、さらには、ソケット３とプラグ２の基板への取り付け位置にバラツキがあっても、この吸収もできるアース板付きコネクタを得る。【解決手段】  ハウジング６の中央部に設け切り欠き７ｆを有するアース板７と、ハウジング６内のアース板７の両側に配置された信号端子８と、アース板７と交叉してソケット３側と反対側に配設し、アース板７の切り欠き７ｆの奥端７ｊと略当接する底部１９ｅを有するアース板挟持部１９ｄを設けたアース端子１９とを備えたプラグ２と、枠状の外側ハウジング１０と内側ハウジング１２を備え、外側ハウジング１０と内側ハウジング１２を可撓部を備える信号端子１３と可撓部を備えるアース端子１４とを相互に並列にかつアース板７とは交叉して配置し可動に結合したソケット３を備える。【選択図】        図１
2005063796.tif 000002
【特許請求の範囲】
【請求項１】
ハウジングの中央部に配置され切り欠きを有するアース板と、該ハウジング内の前記アース板の両側に配置された信号端子と、
前記アース板と交叉してソケット側と反対側に配設し、前記アース板の切り欠きの奥端と略当接する底部を有するアース板挟持部を設けたアース端子と
を備えたプラグと、
ハウジング内に、前記信号端子と対向して配設した信号端子と、
該信号端子と相互に並列にかつ前記アース板とは交叉して配置したアース端子とを備えたソケットとを、
含むことを特徴とするアース板付きコネクタ。
【請求項２】
ハウジングの中央部に配置され切り欠きを有するアース板と、該ハウジング内の前記アース板の両側に配置された信号端子と、
前記アース板と交叉してソケット側と反対側に配設し、前記アース板の切り欠きの奥端と略当接する底部を有するアース板挟持部を設けたアース端子と
を備えたプラグと、
枠状の外側ハウジングと該外側ハウジングの内側に設けた内側ハウジングを備え、
前記外側ハウジングと前記内側ハウジングを可撓部を備える信号端子と可撓部を備えるアース端子とを相互に並列にかつ前記アース板とは交叉して配置し可動に結合したソケットを備えることを特徴とするアース板付きコネクタ。
【請求項３】
前記プラグ及び前記ソケットにおいて、前記プラグ及び前記ソケットのそれぞれの前記アース端子が前記プラグ及び前記ソケットの複数の前記信号端子置きに配置されたことを特徴とする請求項１又は２記載のアース板付きコネクタ。
【発明の詳細な説明】
【技術分野】
【０００１】
この発明は、アース板付きコネクタに関する。
【背景技術】
【０００２】
従来のアース板付きコネクタとしてソケット側コネクタ及びプラグ側コネクタのハウジングの中央部にアース板を設け、信号端子から生じる不要輻射をアースに落とす構造を有しているものがある（例えば特許文献１参照）。
【特許文献１】特開平７−２６３０９０号公報（図１及び図４）
【発明の開示】
【発明が解決しようとする課題】
【０００３】
しかしながら、従来のソケット側コネクタ及びプラグ側コネクタのハウジングの中央部に設けたアース板は対向する信号端子間をシールドできるが、一列に並んだ信号端子間をシールドすることができないとの問題があった。
【０００４】
また、ソケットとプラグの挿入組立て及び離脱時におけるアース板の移動阻止については特別の配慮がされていない。
【０００５】
また組み立て時にプラグがソケットに嵌合されるが、ソケットとプラグの基板取り付け位置にバラツキがある場合にこの位置ズレを吸収することができなかった。
【０００６】
そこで本発明の課題はシールド効果を向上し、また、ソケットとプラグの挿入組立て及び離脱時におけるアース板の移動阻止を確実とするアース板付きコネクタを提供することにある。また、さらには、ソケットとプラグの基板への取り付け位置にバラツキがあっても、この吸収もできるアース板付きコネクタを提供することにある。
【課題を解決するための手段】
【０００７】
上記の課題を解決するため、本発明のうち、請求項１に記載の発明においては、ハウジングの中央部に配置され切り欠きを有するアース板と、該ハウジング内の前記アース板の両側に配置された信号端子と、
前記アース板と交叉してソケット側と反対側に配設し、前記アース板の切り欠きの奥端と略当接する底部を有するアース板挟持部を設けたアース端子と
を備えたプラグと、
ハウジング内に、前記信号端子と対向して配設した信号端子と、
該信号端子と相互に並列にかつ前記アース板とは交叉して配置したアース端子とを備えたソケットとを、含むアース板付きコネクタとする。
【０００８】
請求項２に記載の発明においては、ハウジングの中央部に配置され切り欠きを有するアース板と、該ハウジング内の前記アース板の両側に配置された信号端子と、
前記アース板と交叉してソケット側と反対側に配設し、前記アース板の切り欠きの奥端と略当接する底部を有するアース板挟持部を設けたアース端子と
を備えたプラグと、
枠状の外側ハウジングと該外側ハウジングの内側に設けた内側ハウジングを備え、
前記外側ハウジングと前記内側ハウジングを可撓部を備える信号端子と可撓部を備えるアース端子とを相互に並列にかつ前記アース板とは交叉して配置し可動に結合したソケットを備えるアース板付きコネクタとする。
【０００９】
さらに、請求項３に記載の発明においては、上記請求項１または請求項２に記載の発明において、前記プラグ及び前記ソケットにおいて、前記プラグ及び前記ソケットのそれぞれの前記アース端子が前記プラグ及び前記ソケットの複数の前記信号端子置きに配置されたアース板付きコネクタとする。
【００１０】
ここで、上記の請求項１及び２に記載した「前記アース板の切り欠きの奥端と略当接する底部」における「略当接」とは、アース板の切り欠きの奥端とアース板挟持部の底部の間のクリアランスを後述する総合最大公差値またはその近辺の値としたことをいう。
【発明の効果】
【００１１】
請求項１に記載の発明によれば、アース板は対向する信号端子間をシールドでき、信号端子とアース端子を並列に設けたので一列に並んだ信号端子間をシールドすることもでき、シールド効果の優れたアース板付きコネクタが得られる。また、ソケットとプラグの挿入組立て時にプラグ側に設けたアース板の移動阻止をプラグ側のアース端子が行うため安定したシールド効果が得られる。
【００１２】
請求項２に記載の発明によれば、アース板は対向する信号端子間をシールドでき、信号端子とアース端子を並列に設けたので一列に並んだ信号端子間をシールドすることもでき、シールド効果の優れたアース板付きコネクタが得られる。また、ソケットとプラグの挿入組立て時にプラグ側に設けたアース板の移動阻止をプラグ側のアース端子が行うため安定したシールド効果が得られる。しかも外側ハウジングと内側ハウジングを可動に結合したので、プラグとソケット間の位置ズレを吸収できるアース板付きコネクタが得られる。
【００１３】
請求項３に記載の発明においては、請求項１又は２の上記効果に加え、信号端子列の間にアース端子を設けたシールド効果の良いアース板付きコネクタとできる。
【発明を実施するための最良の形態】
【００１４】
以下本発明の実施の形態を図示例と共に説明する。
【００１５】
図１は、本発明による一実施の形態としてのアース板付きコネクタ１の分離状態の斜視図で、（ａ）はプラグ２の斜視図、（ｂ）はソケット３の斜視図である。
【００１６】
図１（ａ）において、プラグ２は、側板部４ａ，４ｂ、端板部５ａ，５ｂを有するプラグハウジング６と、このプラグハウジング６の中央部の長手方向、即ち両端板部５間にわたって架装されたアース板７と、このアース板７の外部へのアースをとるアース端子１９と、アース板７の両側のプラグハウジング６内に設置された複数のプラグ側信号端子８から構成されている。
【００１７】
この実施の形態におけるアース板７は、図４に基づいて後述するように、３枚に分割されて設けられている。アース板７は、図１（ａ）中の上方から、即ちプラグ２の底部９側からプラグハウジング６内に圧入される。そしてその長手方向両端で端板部５ａ，５ｂの外方に屈曲延設された半田テール７ａ，７ｂ（図４も参照）は図示せぬ回路基板に半田付け固定される。
【００１８】
また、複数のプラグ側信号端子８の下端（図１（ａ）では上端）は、プラグハウジング６の底部９近傍で側板部４ａ，４ｂの外側に屈曲された半田テール８ｂを備えており、該半田テール８ｂは図示せぬ回路基板に半田付け固定される。
【００１９】
プラグハウジング６内に圧入されたアース端子１９（後述する図４、さらに図５参照）は、底部９側からプラグハウジング６内に圧入されるアース板７を挟持・支え、かつ半田テール８ｂ側でプラグ側信号端子８をその複数本、例えば、約１０本、ごとに配設され、その間をシールドしている。アース端子１９は半田テール１９ｂを備えており、半田テール１９ｂは図示せぬ回路基板に半田付け固定されている。
【００２０】
図１（ｂ）に示されたソケット３は、側板部１０ａ、１０ｂと端板部１１ａ，１１ｂとによって枠状に形成された外側ハウジング１０と、その内側の空所１０ｃに配置された矩形状の内側ハウジング１２と、外側ハウジング１０と内側ハウジング１２の内側に配設されるソケット側信号端子１３及びアース端子１４とにより基本的に構成される。なお、１５は外側ハウジング１０の端板部１１ａ，１１ｂに圧入された装着金具で、その下端はＬ字型状を成して外方に突出しており、図示せぬ別の回路基板に半田付け固定される。
【００２１】
図２は、図１のアース板付きコネクタのソケットをソケット側信号端子に沿って切断した断面図である。図２に示すように、ソケット側信号端子１３は、後述するように一端が外側ハウジング１０に、他端が内側ハウジング１２に固定されており、側板部１０ａ，（１０ｂ）から外方に屈曲した半田テール１３ａにおいて上記回路基板に固定される。
【００２２】
図３は、図１のアース板付きコネクタのソケットをアース端子に沿って切断した断面図である。図３に示すように、アース端子１４は、両端が外側ハウジング１０に、中央部が内側ハウジング１２に固定されており、側板部１０ａ，１０ｂから外方に屈曲した半田テール１４ａで回路基板に固定される。
【００２３】
上記ソケット側信号端子１３は、図２に示す如く、前記半田テール１３ａ、取付舌片１３ｂ、Ｕ字状屈曲部１３ｃ、接触子１３ｄ、取付舌片１３ｅなどを備えていて、取付舌片１３ｂを外側ハウジング１０に用意した取付溝１０ｄに、また取付舌片１３ｅを内側ハウジング１２に用意した取付孔１２ｂに、それぞれ図中下方から圧入して組み込む。前記Ｕ字状屈曲部１３ｃと接触子１３ｄとが空所１０ｃに位置している。即ち外側ハウジング１０と内側ハウジング１２とはＵ字状屈曲部１３ｃによって連結されており、且つ接触子１３ｄは収納溝１２ａ中に位置して空所１０ｃに臨み、プラグ２とソケット３の嵌合により、プラグ側信号端子８と連接される。ソケット側信号端子１３は、図２に示す如く、外側ハウジング１０と内側ハウジング１２内に向かい合わせて左右対称に配設される。
【００２４】
上記アース端子１４は、図３に示す如く、前記半田テール１４ａ、取付舌片１４ｂ、Ｕ字状屈曲部１４ｃ、接触子１４ｄ、取付舌片１４ｅなどを左右対称に備えていて、取付舌片１４ｂを外側ハウジング１０に用意した取付溝１０ｄに、また取付舌片１４ｅを内側ハウジング１２に用意した取付孔１２ｂに、それぞれ図中下方から圧入して組み込む。前記Ｕ字状屈曲部１４ｃが空所１０ｃに位置し、接触子１４ｄは収納溝１２ｃ中に位置している。即ち外側ハウジング１０と内側ハウジング１２とはＵ字状屈曲部１４ｃによって連結されており、且つ一対の接触子１４ｄは収納溝１２ｃ中にあってプラグ２とソケット３の嵌合により、プラグ２のアース板７と連接される。
【００２５】
このような構成からなるコネクタ１は、図１（ａ）に示したプラグ２が垂直方向から図１（ｂ）に示したソケット３に嵌入され、アース板７が接触子１４ｄに挟持されながら収納溝１２ｃ中に侵入し、且つプラグ側信号端子８が空所１０ｃを進んでソケット側信号端子１３の接触子１３ｄと連接、双方の電気的連接が達成される。
【００２６】
図１（ａ）及び図１（ｂ）から明らかな様に、プラグとソケット嵌合状態では、ソケット３の長手方向にアース板７が介在することになるので、向かい合ったそれぞれの信号端子８、及びそれぞれの信号端子１３の間は該アース板７が直接シールド効果を発揮する。また隣り合う信号端子８の間については、この実施の形態では、信号端子８の数：１０本ごとにアース端子１９が用意してあってそこでアース板７と挟持接触する様になっているので信号端子８の数：１０本ごとに、即ち小ブロックごとにシールド効果を醸し出すことができる。また、同様に、隣り合う信号端子１３の間については、信号端子１３の数：１０本ごとにアース端子１４が用意してあってそこでアース板７と挟持接触される様になっているので、信号端子１３の数：１０本ごとに、即ち小ブロックごとにシールド効果を醸し出すことができ、全体として大きなシールド効果を得ることができる。
【００２７】
また、この実施の形態では、上述のとおり、ソケット３を外側ハウジング１０と内側ハウジング１２とで構成すると共にその間をＵ字状屈曲部１３ｃ、１４ｃでフローティング保持したので、プラグ２とソケット３との位置ズレを吸収して両者の結合を確実に図ることができるのである。
【００２８】
この実施の形態でのプラグ２の信号端子８並びに、これに対応するソケットの信号端子１３も同様に、端子数が片側６０（６０対）であって、前記アース板７は極めて長くなり過ぎるため、図１の（ａ）のプラグ２のアース板７に沿った長手方向縦断面図の図４に示す如く、３つの部分７ｃ、７ｄ、７ｅに分離している。その各々のアース板７（３つの部分７ｃ、７ｄ、７ｅ）は、プラグハウジング６への圧入組み付け時、前述のように、図４の下方から上方に向けてプラグハウジング６に挿入され、その肩部７ｈがハウジング６のストッパ６ａに当接して上方向の位置決めがされる。
【００２９】
また、アース板７の下端には、１０対の信号端子８ごとに、及びその両端に切り欠き７ｆが用意してあってそこに図５に示す如くアース端子１９を圧入し、アース板７を下支えしている。こうしてアース板７の下方向の位置決めが成される。なお、前述の様に、アース端子１９の半田テール１９ｂは、図示しない回路基板に半田付けされる。また、４図から明らかな様に、アース板７の上端にも、切り欠き７ｇが切り欠き７ｆの対称位置に設けてあり、この切り欠き７ｇは図３に示したソケットのアース端子１４の接触子１４ｄに対応している。
【００３０】
次に、図４のＣ−Ｃ矢視断面である図５をもってアース端子１９をさらに詳述する。
【００３１】
アース端子１９は取付舌片１９ｃ、アース板挟持部１９ｄを備えており、取付舌片１９ｃはプラグハウジング６に用意した取付溝６ｄに圧入され、アース板挟持部１９ｄはハウジング６に用意した空所６ｃに収納される。その際、先にハウジング６に嵌入されているアース板７の切り欠き７ｆの奥端７ｊとアース板挟持部１９ｄの底部１９ｅとのクリアランスＹを小さくし、両者が略当接するまで挿入される。
【００３２】
もし、アース端子１９の上記アース板挟持部１９ｄの底部１９ｅと前記アース板７の切り欠き７ｆの奥端７ｊとの間に、
アース板７の切り欠き７ｆの奥端７ｊまでの形状公差、
アース端子１９の下面位置からのアース板７の取り付け位置までの公差、
アース端子１９の下面位置からのアース板挟持部１９ｄの底部１９ｅまでの交差、
の合成による最大公差、ここでは、これを総合最大公差値と呼ぶ、以上の大きなクリアランスＹを残して組み合わされた場合には、アース板７の後退によるシールド効果減少の問題が生じる。
【００３３】
すなわち、アース板７は専らアース板挟持部１９ｄの弾性挟持力と、アース板７とプラグハウジング６との間のフリクションとによってホールドされることになるので、プラグ２がソケット３に嵌入される、即ちプラグ側のアース板７がソケット側アース端子１４の接触子１４ｄ間に侵入して行く際、アース板７の侵入を阻止する方向に力が発生し、この力はプラグハウジング６からアース板７を抜け出させる作用をなし、もって前記クリアランスＹを失って底部１９ｅと切り欠き７ｆの奥端７ｊとが当接するまでアース板７が後退することになる。プラグ２がソケット３に嵌入された状態において、喪失したクリアランスＹ相当、アース板７のソケット３内侵入が浅くなる。したがって、クリアランスＹが、総合最大公差値以上である場合、シールド効果が損なわれるおそれが生じることになるのである。
【００３４】
この実施の形態ではクリアランスＹを総合最大公差値として、即ちはじめからアース板挟持部１９ｄの底部１９ｅとアース板７の切り欠き７ｆの奥端７ｊとを略当接させた状態でプラグハウジング６内に組み込んでいる。このため、アース板７の不要な後退は発生せず、アース板７は所定の位置（深さ）までソケット３内に確実に入り込み、所期のシールド効果を発揮することができる。
【００３５】
すなわち、略当接させたとは、クリアランスＹを総合最大公差値またはその近辺の値としたことをいう。
【産業上の利用可能性】
【００３６】
この発明は、特に高周波信号を扱うのに適したアース板付きコネクタとして利用することができる。
【図面の簡単な説明】
【００３７】
【図１】本発明による一実施の形態としてのアース板付きコネクタの分解斜視図で、（ａ）はプラグの斜視図、（ｂ）はソケットの斜視図である。
【図２】図１のアース板付きコネクタのソケットを信号端子に沿って切断した断面図である。
【図３】図１のアース板付きコネクタのソケットをアース端子に沿って切断した断面図である。
【図４】図１の（ａ）のプラグのアース板に沿った長手方向縦断面図である。
【図５】図４のＣ−Ｃ矢視断面図である。
【符号の説明】
【００３８】
１  アース板付きコネクタ、２  プラグ、３  ソケット、４ａ，４ｂ  側板部、５ａ，５ｂ  端板部、６  プラグハウジング、６ａ  ストッパ、６ｃ  空所、６ｄ  取付溝、７，７ｃ，７ｄ，７ｅ  アース板、７ａ，７ｂ  半田テール、７ｆ  切り欠き、７ｇ  切り欠き、７ｈ  肩部、７ｊ  奥端、８  信号端子、８ａ  先端、８ｂ  半田テール、９  底部、１０  外側ハウジング、１０ａ，１０ｂ  側板部、１０ｃ  空所、１０ｄ  取付溝、１１ａ，１１ｂ  端板部、１２  内側ハウジング、１２ａ  収納溝、１２ｂ  取付孔、１２ｃ  収納溝、１３  信号端子、１３ａ  半田テール、１３ｂ  取付舌片、１３ｃ  Ｕ字状屈曲部（可撓部）、１３ｄ  接触子、１３ｅ  取付舌片、１４  アース端子、１４ａ  半田テール、１４ｂ  取付舌片、１４ｃ  Ｕ字状屈曲部、１４ｄ  接触子、１４ｄ１，１４ｄ２  接触子、１４ｅ  取付舌片、１５  装着金具、１９  アース端子、１９ｂ  半田テール、１９ｃ  取付舌片、１９ｄ  アース板挟持部、１９ｅ  底部、Ｙ  クリアランス。
【図１】
2005063796.tif 000003
【図２】
2005063796.tif 000004
【図３】
2005063796.tif 000005
【図４】
2005063796.tif 000006
【図５】
2005063796.tif 000007